(57)【要約】【課題】  電波伝搬状況により伝送レートを変化する無線に対して適応的にデータ変換レートを可変するデータレート可変部を設けることにより、電波伝搬状況が変化した場合においても良好なデータの伝送をすることができるコーディック装置を提供する。【解決手段】  データ取得部１と，エンコード部２と，変調部４と，無線伝送レート可変部５と，エンコードレート可変部３と，アップミキサ６と，発振器７と，送信アンテナ８と，受信アンテナ９と，ダウンミキサ１０と，発振器１１と，復調部１２と，デコード部１４と，無線伝送レート受信部１５と，デコードレート可変部１３と，表示部１６とを備える。【選択図】  図１
2007329708.tif 000002
【特許請求の範囲】
【請求項１】
伝送データをエンコードするエンコード部と，
前記エンコーダ出力を無線に変換する変調部と，
無線状況によって伝送レートを可変する無線伝送レート可変部と，
前記無線伝送レート可変部からの伝送レート信号に応じてエンコードレート信号を発生するエンコードレート可変部と，
前記変調部出力を無線周波数に変換するアップミキサと，
前記アップミキサの搬送波を発振する発振器と，
前記アップミキサ出力を電波として出力する送信アンテナと，
前記送信アンテナの出力を受信する受信アンテナと，
前記受信アンテナで受信された受信波を信号成分に変換するダウンミキサと，
前記ダウンミキサの搬送波を発振する発振器と，
前記ダウンミキサ出力を復調する復調部と，
前記復調部からの出力をデコードするデコード部と，
前記復調部からの無線伝送レートを受ける無線伝送レート受信部と，
前記無線伝送レート受信部の無線伝送レートに応じてデコードレート可変するデコードレート可変部と，
前記デコーダ出力を表示する表示部と，
を有し，無線伝搬状況によって無線伝送レートが可変した場合において，適応的にエンコード，デコードレートを変換させる無線コーディック装置。
【請求項２】
伝送データをエンコードするエンコード部と，
前記エンコーダ出力を無線に変換する変調部と，
無線状況によって伝送レートを可変する無線伝送レート可変部と，
前記無線伝送レート可変部からの伝送レート信号に応じてエンコードレート信号を発生するエンコードレート可変部と，
前記変調部出力を無線周波数に変換するアップミキサと，
前記アップミキサの搬送波を発振する発振器と，
前記アップミキサ出力を電波として出力する送信アンテナと，
前記送信アンテナの出力を受信する受信アンテナと，
前記受信アンテナで受信された受信波を信号成分に変換するダウンミキサと，
前記ダウンミキサの搬送波を発振する発振器と，
前記ダウンミキサ出力を復調する復調部と，
前記復調部データを保管するバッファ部と，
前記バッファ部からの出力をデコードするデコード部と，
前記復調部からの無線伝送レートを受ける無線伝送レート受信部と，
前記無線伝送レート受信部の無線伝送レートに応じてデコードレート可変するデコードレート可変部と，
前記無線伝送レートと前記デコードレート可変部からのデコードレート信号とによってバッファ量を変化させるバッファ量設定部と，
を有し，前記バッファ部はデコードレートと無線伝送レートによって適応的に変化することを特徴とする無線コーディック装置。
【発明の詳細な説明】
【技術分野】
【０００１】
本発明は無線ＬＡＮ等の伝送レートを適応的に可変するシステムのコーディック装置に関するものである。
【背景技術】
【０００２】
図３に示す従来のコーディック装置は，カメラ等のデータ発生部とそれをデジタルデータに変換するコーディック部と前記コーディック出力データを伝搬させる無線ＬＡＮ等の無線部からなる送信装置と，伝搬されてきた波を受信し信号データとするカメラデータを送りデータ通信を行っている。
【０００３】
【特許文献１】特開２００５−１２７８０号公報
【特許文献２】特開２００５−１６７７８０号公報
【発明の開示】
【発明が解決しようとする課題】
【０００４】
しかしながら，従来のコーディック装置においては，無線ＬＡＮの様に伝搬環境によって無線伝送レートが変化する場合には，伝搬環境変化し，無線でのエラーレートが劣化した場合において，エンコード又はデコードのコーディックレートが固定なため，データにエラーが発生しカメラ画像等を伝送する場合にはブロックノイズが発生するという問題があった。
【０００５】
本発明は，従来の問題を解決するためになされたもので，無線のエラーレートが劣化した場合においてもエラーの発生を抑制し，ブロックノイズを減らすことのできるコーディック装置を提供することを目的とする。
【課題を解決するための手段】
【０００６】
本発明のコーディック装置は，伝送データをエンコードするエンコード部と，前記エンコーダ出力を無線に変換する変調部と，無線状況によって伝送レートを可変する無線伝送レート可変部と，前記無線伝送レート可変部からの伝送レート信号に応じてエンコードレート信号を発生するエンコードレート可変部と，前記変調部出力を無線周波数に変換するアップミキサと，前記アップミキサの搬送波を発振する発振器と，前記アップミキサ出力を電波として出力する送信アンテナと，前記送信アンテナの出力を受信する受信アンテナと，前記受信アンテナで受信された受信波を信号成分に変換するダウンミキサと，前記ダウンミキサの搬送波を発振する発振器と，前記ダウンミキサ出力を復調する復調部と，前記復調部からの出力をデコードするデコード部と，前記復調部からの無線伝送レートを受ける無線伝送レート受信部と，前記無線伝送レート受信部の無線伝送レートに応じてデコードレート可変するデコードレート可変部と，前記デコーダ出力を表示する表示部を持つ構成を有している。
【０００７】
この構成により，伝搬状況が変化した場合においても適応的にデコードレートを変化させることでデータエラーが少なく画像等でのブロックノイズを低減できることとなる。
【０００８】
また，伝送データをエンコードするエンコード部と，前記エンコーダ出力を無線に変換する変調部と，無線状況によって伝送レートを可変する無線伝送レート可変部と，前記無線伝送レート可変部からの伝送レート信号に応じてエンコードレート信号を発生するエンコードレート可変部と，前記変調部出力を無線周波数に変換するアップミキサと，前記アップミキサの搬送波を発振する発振器と，前記アップミキサ出力を電波として出力する送
信アンテナと，前記送信アンテナの出力を受信する受信アンテナと，前記受信アンテナで受信された受信波を信号成分に変換するダウンミキサと，前記ダウンミキサの搬送波を発振する発振器と，前記ダウンミキサ出力を復調する復調部と，前記復調部データを保管するバッファ部と，前記バッファ部からの出力をデコードするデコード部と，前記復調部からの無線伝送レートを受ける無線伝送レート受信部と，前記無線伝送レート受信部の無線伝送レートに応じてデコードレート可変するデコードレート可変部と，前記無線伝送レートと前記デコードレート可変部からのデコードレート信号とによってバッファ量を変化させるバッファ量設定部を持つ構成を有している。
【０００９】
この構成により，伝搬状況が変化した場合においても適応的にエンコードレートとバッファ量を変化させることでデータエラーが少なく画像等でのブロックノイズを低減できることとなる。
【発明の効果】
【００１０】
以上のように本発明は，電波伝搬状況により伝送レートを変化する無線に対して適応的にデータ変換レートを可変するデータレート可変部を設けることにより，電波伝搬状況が変化した場合においても良好なデータの伝送をすることが出来るという効果を有するコーディック装置を提供することができるものである。
【発明を実施するための最良の形態】
【００１１】
以下，本発明の実施の形態について，図面を用いて説明する。
（第１実施形態）
本発明の第１実施形態のコーディック装置を図１に示す。
【００１２】
図１において，データを取得するデータ取得部１と，伝送データをエンコードするエンコード部２と，前記エンコーダ出力を無線に変換する変調部４と，無線状況によって伝送レートを可変する無線伝送レート可変部５と，前記無線伝送レート可変部からの伝送レート信号に応じてエンコードレート信号を発生するエンコードレート可変部３と，前記変調部出力を無線周波数に変換するアップミキサ６と，前記アップミキサの搬送波を発振する発振器７と，前記アップミキサ出力を電波として出力する送信アンテナ８と，前記送信アンテナの出力を受信する受信アンテナ９と，前記受信アンテナで受信された受信波を信号成分に変換するダウンミキサ１０と，前記ダウンミキサの搬送波を発振する発振器１１と，前記ダウンミキサ出力を復調する復調部１２と，前記復調部からの出力をデコードするデコード部１４と，前記復調部からの無線伝送レートを受ける無線伝送レート受信部１５と，前記無線伝送レート受信部の無線伝送レートに応じてデコードレート可変するデコードレート可変部１３と，前記デコーダ出力を表示する表示部１６とから構成されている。
【００１３】
以上のように構成されたコーディック装置について，その動作を説明する。
【００１４】
まず，カメラ等で取得されたデータはエンコード部によって圧縮され，そのデータは無線部で変調された後，アップミキサによって無線周波数に変換され，必要な出力まで増幅された後，送信アンテナによって無線として出力される。送信アンテナによって出力された電波は，無線で伝搬され受信アンテナによって受信される。受信された電波はダウンミキサによって周波数変換され，復調器によって復調される。復調されたデータはデコーダによってデコードされ画面等の出力装置にて表示される。無線の伝搬状況は，送受信間の距離，周辺の環境等によって大きく変化するため，無線状態が劣化した時には，無線伝送レート可変部によって無線伝送レートを下げ，良化した時には無線伝送レートを上げる。
【００１５】
また，無線伝送レート可変部は同時に伝送レート信号をエンコードレート可変部に送る，エンコードレート可変部では，無線伝送レートを認識して無線伝送レート≧エンコード
レートになるような最大エンコードレートに設定する。
【００１６】
受信側では，無線伝送レートを無線伝送レート受信部が認識し，エンコードと同様に無線伝送レート≧デコードレートになるような最大デコードレートに設定する。結果的にエンコードレート＝デコードレートとなる。これによって，伝送レートでの最適化を図ることが可能となる。
【００１７】
このような本発明の第１実施形態によれば，無線伝送レートによってエンコードレート，デコードレートを適応的に可変するエンコードレート可変部，デコードレート可変部を設けることにより，無線伝搬状況が変化した場合においても適切なエンコードレート，デコードレートにすることが出来るため画像伝送時のエラーを低減することが出来，画像伝送で発生するブロックノイズ等を低減することができる。
（第２実施形態）
次に，本発明の第２実施形態のコーディック装置を図２に示す。
【００１８】
図２において，データを取得するデータ取得部１と，伝送データをエンコードするエンコード部２と，前記エンコーダ出力を無線に変換する変調部４と，無線状況によって伝送レートを可変する無線伝送レート可変部５と，前記無線伝送レート可変部からの伝送レート信号に応じてエンコードレート信号を発生するエンコードレート可変部３と，前記変調部出力を無線周波数に変換するアップミキサ６と，前記アップミキサの搬送波を発振する発振器７と，前記アップミキサ出力を電波として出力する送信アンテナ８と，前記送信アンテナの出力を受信する受信アンテナ９と，前記受信アンテナで受信された受信波を信号成分に変換するダウンミキサ１０と，前記ダウンミキサの搬送波を発振する発振器１１と，前記ダウンミキサ出力を復調する復調部１２と，前記復調部データを保管するバッファ部１７と，前記バッファ部からの出力をデコードするデコード部１４と，前記復調部からの無線伝送レートを受ける無線伝送レート受信部１３と，前記無線伝送レート受信部の無線伝送レートに応じてデコードレート可変するデコードレート可変部１５と，前記無線伝送レートと前記デコードレート可変部からのデコードレート信号とによってバッファ量を変化させるバッファ量設定部１８とから構成されている。
【００１９】
以上のように構成されたコーディック装置について，その動作を説明する。
【００２０】
まず，カメラ等で取得されたデータはエンコード部によって圧縮され，そのデータは無線部で変調された後，アップミキサによって無線周波数に変換され，必要な出力まで増幅された後，送信アンテナによって無線として出力される。送信アンテナによって出力された電波は，無線で伝搬され受信アンテナによって受信される。受信された電波はダウンミキサによって周波数変換され，復調器によって復調される。復調されたデータはデコーダによってデコードされ画面等の出力装置にて表示される。無線の伝搬状況は，送受信間の距離，周辺の環境等によって大きく変化するため，無線状態が劣化した時には，無線伝送レート可変部によって無線伝送レートを下げ，良化した時には無線伝送レートを上げる。
【００２１】
また，無線伝送レート可変部は同時に伝送レート信号をエンコードレート可変部に送る，エンコードレート可変部では，無線伝送レートを認識して無線伝送レート≧エンコードレートになるような最大エンコードレートに設定する。
【００２２】
受信側では，無線伝送レートを無線伝送レート受信部が認識し，エンコードと同様に無線伝送レート≧デコードレートになるような最大デコードレートに設定する。結果的にエンコードレート＝デコードレートとなる。これによって，伝送レートでの最適化を図る。また，エンコードレートの最小設定値と無線伝送レートの最小設定値より大きい場合には，無線伝送レート≦デコードレートとなる場合が発生する。その時には，バッファ量設定
部において，無線伝送レート可変部とデコードレート可変部のレート信号を受け無線伝送レート≦デコードレートとなった場合には，バッファ量の設定を大きくし無線伝搬特性の劣化に対してのエラーをバッファが吸収してデコードエラー発生を抑制する。
【００２３】
以上のように本発明の第２実施形態によれば，第１実施形態にバッファ量を設定するバッファ量設定部を設けることにより，無線伝搬状況が変化した場合において，無線伝送レートよりエンコード，デコードレートが大きくなってしまった場合においてもバッファでのエラー吸収により画像伝送時のエラーを低減することが出来，画像伝送で発生するブロックノイズ等を低減することができる。
【図面の簡単な説明】
【００２４】
【図１】本発明の第１実施形態におけるコーディック装置のブロック図
【図２】本発明の第２実施形態におけるコーディック装置のブロック図
【図３】従来のコーディック装置のブロック図
【符号の説明】
【００２５】
１  データ取得部
２  エンコード部
３  エンコードレート可変部
４  変調部
５  無線伝送レート可変部
６  アップミキサ
７  発振器
８  送信アンテナ
９  受信アンテナ
１０  ダウンミキサ
１１  発振器
１２  復調部
１３  無線伝送レート受信部
１４  デコード部
１５  デコードレート可変部
１６  表示部
１７  バッファ部
１８  バッファ量設定部
【図１】
2007329708.tif 000003
【図２】
2007329708.tif 000004
【図３】
2007329708.tif 000005